(57)【要約】【課題】デジタルスチルカメラとプリンタとが接続されている間において、ユーザに別段の操作を強いることなく同じ言語設定にあわせられることができるようにする。【解決手段】デジタルカメラ３０１２と直接接続された印刷装置１０００で、前記デジタルカメラ３０１２の撮影した画像データを前記印刷装置１０００に転送し印刷可能な印刷システムにおいて、前記デジタルカメラ３０１２と前記印刷装置１０００とを接続したときに、前記デジタルカメラ３０１２の言語設定情報を前記印刷装置１０００が取得し、表示装置に表示する言語設定を自動的に前記デジタルカメラ３０１２の言語設定に合わせるようにする。【選択図】  図３
2006005760.tif 000002
【特許請求の範囲】
【請求項１】
所定のインターフェースを用いて撮像装置と直接接続し、前記撮像装置から転送される画像データを記録可能な記録装置であって、
前記所定のインターフェースを介して前記撮像装置と接続された時に、前記撮像装置の言語設定を含む言語設定情報を前記撮像装置から受信する言語設定情報受信手段と、
前記言語設定情報受信手段によって受信された言語設定情報に含まれる言語設定と同じ言語を表示装置に表示するように設定する言語設定手段とを備えたことを特徴とする記録装置。
【請求項２】
前記撮像装置は、デジタルカメラであることを特徴とする請求項１に記載の記録装置。
【請求項３】
前記撮像装置から転送される画像データを、インクジェット方式で記録することを特徴とする請求項１に記載の記録装置。
【請求項４】
前記撮像装置から転送される画像データは、JPEGフォーマットに従った画像データであることを特徴とする請求項１〜３の何れか１項に記載の記録装置。
【請求項５】
所定のインターフェースを用いて記録装置と直接接続し、前記記録装置により画像データを記録可能な撮像装置であって、
前記記録装置と接続された時に、自装置の言語設定を含む言語設定情報を前記記録装置に送信する言語設定情報送信手段を有することを特徴とする撮像装置。
【請求項６】
前記撮像装置から転送される画像データは、JPEGフォーマットに従った画像データであることを特徴とする請求項５に記載の撮像装置。
【請求項７】
前記請求項１〜４の何れか１項に記載の記録装置と、前記請求項５または６に記載の撮像装置とを有することを特徴とする印刷システム。
【請求項８】
撮像装置と、前記撮像装置と所定のインターフェースを用いて直接接続が可能である記録装置とを有し、前記撮像装置の撮影した画像データを前記記録装置へ転送して記録可能な印刷システムにおける制御方法であって、
前記撮像装置と前記記録装置とが接続された時に、前記撮像装置の言語設定を含む言語設定情報を前記記録装置で受信する言語設定情報受信工程と、
前記記録装置に設定されている言語設定を前記言語設定情報に含まれる言語設定と同じ設定に変更する言語変更工程とを有することを特徴とする印刷システム制御方法。
【請求項９】
撮像装置と、前記撮像装置と所定のインターフェースを用いて直接接続が可能である記録装置とを有し、前記撮像装置の撮影した画像データを前記記録装置へ転送して記録可能な印刷システムにおける制御方法であって、
前記記録装置と接続された時に、自装置の言語設定を含む言語設定情報を前記記録装置に送信する言語設定情報送信工程を有することを特徴とする印刷システム制御方法。
【請求項１０】
撮像装置と、前記撮像装置と所定のインターフェースを用いて直接接続が可能である記録装置とを有し、前記撮像装置の撮影した画像データを前記記録装置へ転送して記録可能な印刷システムにおける制御方法をコンピュータに実行させるプログラムであって、
前記撮像装置と前記記録装置とが接続された時に、前記撮像装置の言語設定を含む言語設定情報を前記記録装置で受信する言語設定情報受信工程と、
前記記録装置に設定されている言語設定を前記言語設定情報に含まれる言語設定と同じ設定に変更する言語変更工程とをコンピュータ実行させることを特徴とするコンピュータプログラム。
【請求項１１】
撮像装置と、前記撮像装置と所定のインターフェースを用いて直接接続が可能である記録装置とを有し、前記撮像装置の撮影した画像データを前記記録装置へ転送して記録可能な印刷システムにおける制御方法をコンピュータに実行させるプログラムであって、
前記記録装置と接続された時に、自装置の言語設定を含む言語設定情報を前記記録装置に送信する言語設定情報送信工程をコンピュータ実行させることを特徴とするコンピュータプログラム。
【請求項１２】
前記請求項１０または１１に記載のコンピュータプログラムを記録したことを特徴とするコンピュータ読み取り可能な記録媒体。
【請求項１３】
所定のインターフェースを用いて撮像装置と通信が確立され、前記撮像装置から転送される画像データを記録可能な記録装置であって、
前記所定のインターフェースを介して前記撮像装置と通信が確立された時に、前記撮像装置の言語設定を含む言語設定情報を前記撮像装置から受信する言語設定情報受信手段と、
前記言語設定情報受信手段によって受信された言語設定情報に含まれる言語設定と同じ言語を表示装置に表示するように設定する言語設定手段とを備えたことを特徴とする記録装置。
【請求項１４】
所定のインターフェースを用いて記録装置と通信が確立され、前記記録装置により画像データを記録可能な撮像装置であって、
前記記録装置と通信が確立された時に、自装置の言語設定を含む言語設定情報を前記記録装置に送信する言語設定情報送信手段を有することを特徴とする撮像装置。
【請求項１５】
撮像装置と、前記撮像装置と所定のインターフェースを用いて直接通信を確立することが可能である記録装置とを有し、前記撮像装置の撮影した画像データを前記記録装置へ転送して記録可能な印刷システムにおける制御方法であって、
前記撮像装置と前記記録装置との通信が確立された時に、前記撮像装置の言語設定を含む言語設定情報を前記記録装置で受信する言語設定情報受信工程と、
前記記録装置に設定されている言語設定を前記言語設定情報に含まれる言語設定と同じ設定に変更する言語変更工程とを有することを特徴とする印刷システム制御方法。
【請求項１６】
撮像装置と、前記撮像装置と所定のインターフェースを用いて直接通信を確立することが可能である記録装置とを有し、前記撮像装置の撮影した画像データを前記記録装置へ転送して記録可能な印刷システムにおける制御方法であって、
前記記録装置と通信が確立された時に、自装置の言語設定を含む言語設定情報を前記記録装置に送信する言語設定情報送信工程を有することを特徴とする印刷システム制御方法。
【発明の詳細な説明】
【技術分野】
【０００１】
本発明は記録装置、撮像装置及び印刷システムに関し、特に、デジタルカメラ等の撮像装置と直接接続され、印刷装置の状態などを表示することが可能なビューワを装着された印刷装置であって、撮像装置の撮影した画像データを前記印刷装置に転送して印刷することが可能な印刷システムに用いて好適なものである。
【背景技術】
【０００２】
最近の印刷システムでは、パーソナルコンピュータ（PC）を介することなく、デジタルスチルカメラ（DSC）からカラープリンタにデジタル画像データを直接伝送して印刷することができるカラープリントシステムが実用化されている。このようなプリントシステムは、例えば、特許文献１にて提案されている。
【０００３】
前述のようなカラープリントシステムでは、デジタルスチルカメラ（DSC）で撮像した画像データをカラープリンタ側でRGBデータに展開し、必要な画像処理を施して印刷データを作成し、印刷を行っている。また、デジタルスチルカメラ（DSC）は、表示言語をユーザの操作によって切り換えられるようになっており、カラープリンタも同様に言語表示を行っている。
【０００４】
【特許文献１】特開２００３−１６３８５８号公報
【発明の開示】
【発明が解決しようとする課題】
【０００５】
前記デジタルスチルカメラ（DSC）と、前記カラープリンタとを異なる表示言語の設定にしていた場合、デジタルスチルカメラ（DSC）に表示される文言とプリンタの表示部に表示される文言とが異なってしまう問題があった。
【０００６】
前記のように、デジタルスチルカメラ（DSC）に表示される文言とプリンタの表示部に表示される文言が異なると、ユーザにとっては印刷設定を行う際に非常にわかりづらいので、デジタルスチルカメラ（DSC）の表示部に表示される文言と、プリンタの表示部に表示される文言とを一致させるようにする必要がある。しかしながら、双方の文言を一致させるようにするためには、新たな操作をユーザに強いることになってしまう不都合があった。
【０００７】
本発明は前述の問題点にかんがみ、撮像装置と記録装置とが接続されている間において、ユーザに別段の操作を強いることなく同じ言語設定に合わせられるようにすることを目的とする。
【課題を解決するための手段】
【０００８】
本発明の記録装置は、所定のインターフェースを用いて撮像装置と直接接続し、前記撮像装置から転送される画像データを記録可能な記録装置であって、前記所定のインターフェースを介して前記撮像装置と接続された時に、前記撮像装置の言語設定を含む言語設定情報を前記撮像装置から受信する言語設定情報受信手段と、前記言語設定情報受信手段によって受信された言語設定情報に含まれる言語設定と同じ言語を表示装置に表示するように設定する言語設定手段とを備えたことを特徴としている。
また、本発明の記録装置の他の特徴とするところは、所定のインターフェースを用いて撮像装置と通信が確立され、前記撮像装置から転送される画像データを記録可能な記録装置であって、前記所定のインターフェースを介して前記撮像装置と通信が確立された時に、前記撮像装置の言語設定を含む言語設定情報を前記撮像装置から受信する言語設定情報受信手段と、前記言語設定情報受信手段によって受信された言語設定情報に含まれる言語設定と同じ言語を表示装置に表示するように設定する言語設定手段とを備えたことを特徴としている。
【０００９】
本発明の撮像装置は、所定のインターフェースを用いて記録装置と直接接続し、前記記録装置により画像データを記録可能な撮像装置であって、前記記録装置と接続された時に、自装置の言語設定を含む言語設定情報を前記記録装置に送信する言語設定情報送信手段を有することを特徴としている。
また、本発明の撮像装置の他の特徴とするところは、所定のインターフェースを用いて記録装置と通信が確立され、前記記録装置により画像データを記録可能な撮像装置であって、前記記録装置と通信が確立された時に、自装置の言語設定を含む言語設定情報を前記記録装置に送信する言語設定情報送信手段を有することを特徴としている。
【００１０】
本発明の印刷システムは、前記の何れかに記載の記録装置と、前記の何れかに記載の撮像装置とを有することを特徴としている。
【００１１】
本発明の印刷システム制御方法は、撮像装置と、前記撮像装置と所定のインターフェースを用いて直接接続が可能である記録装置とを有し、前記撮像装置の撮影した画像データを前記記録装置へ転送して記録可能な印刷システムにおける制御方法であって、前記撮像装置と前記記録装置とが接続された時に、前記撮像装置の言語設定を含む言語設定情報を前記記録装置で受信する言語設定情報受信工程と、前記記録装置に設定されている言語設定を前記言語設定情報に含まれる言語設定と同じ設定に変更する言語変更工程とを有することを特徴としている。
また、本発明の印刷システム制御方法の他の特徴とするところは、撮像装置と、前記撮像装置と所定のインターフェースを用いて直接接続が可能である記録装置とを有し、前記撮像装置の撮影した画像データを前記記録装置へ転送して記録可能な印刷システムにおける制御方法であって、前記記録装置と接続された時に、自装置の言語設定を含む言語設定情報を前記記録装置に送信する言語設定情報送信工程を有することを特徴としている。
また、本発明の印刷システム制御方法のその他の特徴とするところは、撮像装置と、前記撮像装置と所定のインターフェースを用いて直接通信を確立することが可能である記録装置とを有し、前記撮像装置の撮影した画像データを前記記録装置へ転送して記録可能な印刷システムにおける制御方法であって、前記撮像装置と前記記録装置との通信が確立された時に、前記撮像装置の言語設定を含む言語設定情報を前記記録装置で受信する言語設定情報受信工程と、前記記録装置に設定されている言語設定を前記言語設定情報に含まれる言語設定と同じ設定に変更する言語変更工程とを有することを特徴としている。
また、本発明の印刷システム制御方法のその他の特徴とするところは、撮像装置と、前記撮像装置と所定のインターフェースを用いて直接通信を確立することが可能である記録装置とを有し、前記撮像装置の撮影した画像データを前記記録装置へ転送して記録可能な印刷システムにおける制御方法であって、前記記録装置と通信が確立された時に、自装置の言語設定を含む言語設定情報を前記記録装置に送信する言語設定情報送信工程を有することを特徴としている。
【００１２】
本発明のコンピュータプログラムは、撮像装置と、前記撮像装置と所定のインターフェースを用いて直接接続が可能である記録装置とを有し、前記撮像装置の撮影した画像データを前記記録装置へ転送して記録可能な印刷システムにおける制御方法をコンピュータに実行させるプログラムであって、前記撮像装置と前記記録装置とが接続された時に、前記撮像装置の言語設定を含む言語設定情報を前記記録装置で受信する言語設定情報受信工程と、前記記録装置に設定されている言語設定を前記言語設定情報に含まれる言語設定と同じ設定に変更する言語変更工程とをコンピュータ実行させることを特徴としている。
また、本発明のコンピュータプログラムの他の特徴とするところは、撮像装置と、前記撮像装置と所定のインターフェースを用いて直接接続が可能である記録装置とを有し、前記撮像装置の撮影した画像データを前記記録装置へ転送して記録可能な印刷システムにおける制御方法をコンピュータに実行させるプログラムであって、前記記録装置と接続された時に、自装置の言語設定を含む言語設定情報を前記記録装置に送信する言語設定情報送信工程をコンピュータ実行させることを特徴としている。
【００１３】
本発明の記録媒体は、前記に記載のコンピュータプログラムを記録したことを特徴としている。
【発明の効果】
【００１４】
本発明によれば、記録装置側及び撮像装置側の双方で同じ言語が表示されるようにする言語設定処理を自動的に行うことが可能となる。これにより、前記撮像装置が前記記録装置に接続された時に、前記記録装置及び前記撮像装置の言語設定に相違があった場合に、前記記録装置の言語設定を前記撮像装置の言語設定に合わせる作業をユーザに強いることを解消することができる。
また、本発明の他の特徴によれば、撮像装置と非接続状態となったことに応じて、記録装置の言語設定を戻すようにしたので、一時的に言語を切り換えた後に、元に戻す操作を不要にすることができる。これにより、例えば、街角でのプリント端末のように、不特定多数のカメラがプリンタに接続されるような状況で使用される場合であっても、プリンタの言語設定を使用者ごとに切り換える操作をしなくても済むので、使い勝手を大幅に向上させることができる。
【発明を実施するための最良の形態】
【００１５】
（第１の実施の形態）
以下、添付図面を参照して本発明の好適な実施の形態を説明する。
図１は、本発明の実施の形態に係るフォトダイレクトプリンタ装置（以下、ＰＤプリンタ装置）１０００の概観を示す斜視図である。このＰＤプリンタ装置１０００は、ホストコンピュータ（ＰＣ）からデータを受信して印刷する通常のＰＣプリンタとしての機能と、メモリカードなどの記憶媒体に記憶されている画像データを直接読み取って印刷したり、或いはデジタルカメラからの画像データを受信して印刷したりする機能を備えている。
【００１６】
図１において、本実施の形態に係るＰＤプリンタ装置１０００の外殻をなす本体は、ケース１００１、上ケース１００２、アクセスカバー１００３及び排出トレイ１００４の外装部材を有している。
【００１７】
また、下ケース１００１は、ＰＤプリンタ装置１０００の略下半部を、上ケース１００２は本体の略上半部をそれぞれ形成しており、両ケースの組合せによって内部に後述の各機構を収納する収納空間を有する中空体構造をなしており、その上面部及び前面部にはそれぞれ開口部が形成されている。
【００１８】
さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。
【００１９】
また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００２０】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００２１】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０の構造は、図２を参照して詳しく後述する。
【００２２】
１００７は自動給送部で、記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。
【００２３】
このメモリカード（ＰＣ）としては、例えばコンパクトフラッシュ（登録商標）メモリ、スマートメディア、メモリスティック等がある。１０１１はビューワ（液晶表示部）で、このＰＤプリンタ装置１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するための端子、１０１３は、パーソナルコンピュータ（ＰＣ）を接続するためのＵＳＢバスコネクタを示す。
【００２４】
図２は、本実施の形態に係るＰＤプリンタ装置１０００の操作パネル１０１０の概観図である。
図２において、液晶表示部１００６には、その左右に印刷されている項目に関するデータを各種設定するためのメニュー項目が表示される。ここに表示される項目としては、印刷したい範囲の先頭写真番号、指定コマ番号（開始／−指定）、印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。
【００２５】
２００２はモードキーで、このキーを押下する毎に、印刷の種類（インデックス印刷、全コマ印刷、１コマ印刷等）を切り換えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００２６】
次に、図３を参照して、本実施の形態に係るＰＤプリンタ装置１０００の制御に係る主要部の構成を説明する。なお、この図３において、前述の図面と共通する部分は同じ記号を付与して、それらの説明を省略する。
【００２７】
図３において、３０００は制御部（制御基板）を示している。３００１はＡＳＩＣ（専用カスタムＬＳＩ）を示し、その構成は図４のブロック図を参照して詳しく後述する。３００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。
【００２８】
３００３はメモリで、ＤＳＰ３００２のＣＰＵの制御プログラムを記憶するプログラムメモリ３００３ａ、及び実行時のプログラムを記憶するＲＡＭエリア、画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。
【００２９】
３００５はデジタルカメラ３０１２を接続するためのポートとしてのＵＳＢバスコネクタである。３００６はビューワ１０１１を接続するためのコネクタである。３００８はＵＳＢバスハブ(USB HUB)で、このＰＤプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。
【００３０】
これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３０１３により、商用ＡＣから変換された直流電圧を入力している。ＰＣ３０１０は一般的なパーソナルコンピュータ、３０１１は前述したメモリカード（ＰＣカード）、３０１２はデジタルカメラである。なお、この制御部３０００とプリンタエンジン３００４との間の信号のやり取りは、前述したＵＳＢバス３０２１又はＩＥＥＥ１２８４バス３０２２を介して行われる。
【００３１】
図４は、ＡＳＩＣ３００１の構成を示すブロック図で、この図４においても、前述の図面と共通する部分は同じ記号を付与して、それらの説明を省略する。
４００１はＰＣカードインターフェース部で、装着されたＰＣカード３０１１に記憶されている画像データを読み取ったり、或いはＰＣカード３０１１へのデータの書き込みをしたり等を行う。
【００３２】
４００２はＩＥＥＥ１２８４インターフェース部で、プリンタエンジン３００４との間のデータのやり取りを行う。このＩＥＥＥ１２８４インターフェース部４００２は、デジタルカメラ３０１２或いはＰＣカード３０１１に記憶されている画像データを印刷する場合に使用されるバスである。
【００３３】
４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示データを表示部１００６へ出力したりする。
【００３４】
４００６はビューワ・インターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００３５】
以上の構成に基づく動作概要を以下に説明する。
＜通常のＰＣプリンタモード＞
これはＰＣ３０１０から送られてくる印刷データに基づいて画像を印刷する印刷モードである。
このモードでは、ＰＣ３０１０からのデータがコネクタ１０１３を介して入力されると、ＵＳＢバスハブ３００８、ＵＳＢバス３０２１を介して直接プリンタエンジン３００４に送られ、ＰＣ３０１０からのデータに基づいて印刷が行われる。
【００３６】
＜ＰＣカードからの直接プリントモード＞
ＰＣカード３０１１がカードスロット１００９に装着或いは脱着されると割り込みが発生し、これによりＤＳＰ３００２はＰＣカード３０１１が装着されたか或いは脱着（取り外された）されたかを検知できる。
【００３７】
ＰＣカード３０１１が装着されると、そのＰＣカード３０１１に記憶されている圧縮された（例えばＪＰＥＧ圧縮）画像データを読込んでメモリ３００３に記憶する。その後、その圧縮された画像データを解凍して再度メモリ３００３に格納する。次に、操作パネル１０１０を使用して、その格納した画像データの印刷が指示されると、ＲＧＢ信号からＹＭＣＫ信号への変換、ガンマ補正、誤差拡散等を実行してプリンタエンジン３００４で印刷可能な記録データに変換し、ＩＥＥＥ１２８４インターフェース部４００２を介してプリンタエンジン３００４に出力することにより印刷を行う。
【００３８】
＜カメラからの直接プリントモード＞
図５は、本実施の形態に係るＰＤプリンタ装置１０００とデジタルカメラ３０１２とを接続した状態を示す図である。
図５において、ケーブル５０００は、ＰＤプリンタ装置１０００のコネクタ１０１２と接続されるコネクタ５００１と、デジタルカメラ３０１２の接続用コネクタ５００３と接続するためのコネクタ５００２とを備えており、また、デジタルカメラ３０１２は、内部のメモリに保存している画像データを、接続用コネクタ５００３を介して出力可能に構成されている。
【００３９】
なお、デジタルカメラ３０１２の構成としては、内部に記憶手段としてのメモリを備えるものや、取外し可能なメモリを装着するためのスロットを備えたものなど、種々の構成を採用することができる。本実施の形態においては、ＣＰＵ、ＲＯＭ及びＲＡＭよりなるコンピュータシステムを有し、このコンピュータシステムにより言語設定情報送信手段が構成されている。そして、ケーブル５０００を介してＰＤプリンタ装置１０００と接続された時に、表示装置に表示する言語設定を含む言語設定情報をＰＤプリンタ装置１０００に送信するようにしている。また、撮影した画像データをJPEGフォーマットに従った画像データに圧縮するようにしている。
【００４０】
このように、図５に示すケーブル５０００を介してＰＤプリンタ装置１０００とデジタルカメラ３０１２とを接続することにより、デジタルカメラ３０１２からの画像データをＰＤプリンタ装置１０００で直接印刷する印刷システムを構成することができる。
【００４１】
図６は、図３のプログラムメモリ３００３ａに示されるプログラムメモリに記憶されている定型文データテーブル（2次元の配列）の一例を示す図である。２つのキーX,Yを与えることによって、１つの定型文データD(X,Y)を参照することが出来る。６００１（６００３）は、プリンタの状態によって選択されるキーの１つであり、カメラが接続された場合にX1(X2)キーとして利用される。
【００４２】
６００４は、設定されている言語情報が日本語である場合に選択される。例えばD(X1,Y1)は、「カメラが接続された場合」の「日本語」の文言が参照され、D(X1,Y1)=" デジタルカメラがプリンタに接続されました"という定型文データを参照できる。この６００２などに格納されている定型文データは、ビューワ１０１１に表示可能である。
【００４３】
図７は、デジタルカメラ３０１２の背面を示しており、７００２は撮像して記録した画像の再生を指示する再生ボタン、７００３は画像やメニューなどを表示する液晶表示部、７００４はプリントメニューをそれぞれ示している。また、７００１はファインダである。デジタルカメラ３０１２における印刷画像の指定は、撮像した映像のプリントをプリントショップに対して依頼する時のＤＰＯＦファイルの作成時の操作と基本的に同じである。
【００４４】
すなわち、再生ボタン７００２を押して、記録されている画像の印刷を１枚ずつ或は全画像で指定することにより、それら画像の印刷を指示することができる。但し、ＰＤプリンタ装置１０００に接続された時は、液晶表示部７００３にプリントメニュー７００４が表示され、このメニューに基づいて画像の選択や印刷指定が行なわれる点が異なっている。
【００４５】
このプリントメニュー７００４を選択することにより、印刷する用紙サイズ、カラー或は白黒プリント、印刷に使用する用紙の種類（普通紙、ファイン紙等）、更には縁ナシ／アリでのプリント等を指定することができる。また、これ以外にも、後述するようなインデックス印刷、日付印刷、トリミング印刷、割付け印刷等を指定することができる。
【００４６】
図８は、デジタルカメラ３０１２がＰＤプリンタ装置１０００に接続されてから言語情報の入ったデータを受信するまでの手順の一例を示すフローチャートである。
最初のステップＳ８００１で処理が開始されると、次に、ステップＳ８００２でGet Descriptorリクエストを発行し、Device Descriptorを受信する。次に、ステップＳ８００３でSet Addressリクエストを発行する。次に、ステップＳ８００４でGet Descriptorリクエストを発行し、Configuration Descriptorを受信する。
【００４７】
次に、ステップＳ８００５でSet Configリクエストを発行し、利用するConfigurationを決定する。次に、ステップＳ８００６でGet Descriptorリクエストを発行し、String Descriptorを受信する。このString Descriptorは、Device DescriptorのI Productをインデックスとして取得したものであり、例えば"Power Shot G5:JP"のようなデータが受信できる。この場合、':"のあとの2文字"JP"をカメラ側の言語設定が日本語であるとみなす。この言語情報を元に、図６の定型文テーブルのYキーを決定する。
【００４８】
これにより、ＰＤプリンタ装置１０００側及びデジタルカメラ３０１２側の双方で同じ言語が表示されるようにする言語設定処理を自動的に行うことができる。したがって、前記デジタルカメラ３０１２が接続された時に、前記ＰＤプリンタ装置１０００及び前記デジタルカメラ３０１２の言語設定に相違があった場合に、前記ＰＤプリンタ装置１０００の言語設定を前記デジタルカメラ３０１２の言語設定に合わせる処理を自動的に行うことができる。最後に、ステップＳ８００７で処理を終了する。
【００４９】
図９は、図６でX1キー（カメラが接続された場合に選択される）、Y1キー（日本語設定の場合に選択される）から参照できる定型文データをビューワ１０１１に表示した時の概観図である。
【００５０】
図１０は、図６でX1キー（カメラが接続された場合に選択される）、Y2キー（英語設定の場合に選択される）から参照できる定型文データをビューワ１０１１に表示した時の概観図である。
【００５１】
（第２の実施の形態）
次に、図１１のフローチャートを参照しながら第２の実施の形態を説明する。なお、図１１において、図８のフローチャートと同じ処理を行うステップについては、同じステップ番号を付して説明を省略する。
【００５２】
図１１に示したように、本実施の形態においては、ステップＳ８００６の次に、ステップＳ８００６１において、デジタルカメラ３０１２が非接続になったか否かを判断している。そして、デジタルカメラ３０１２が外されたときには、ステップＳ８００６２において、ＰＤプリンタ装置１０００の言語設定を以前の状態に戻す処理を行っている。
【００５３】
このように、デジタルカメラ３０１２が非接続状態となったことに応じて、ＰＤプリンタ装置１０００の言語設定を元の状態に戻すようにすることにより、一時的に言語を切り換えた後に、元に戻す操作を行うことが必要なくなる。また、例えば、街角でのプリント端末のように、プリンタに不特定多数のカメラが接続されるような状況である場合には、カメラのユーザが外国人の可能性も大いに有る。つまり、ＰＤプリンタ装置１０００のユーザによって言語設定がいろいろと変わっている可能性がある。
【００５４】
このような場合に、ＰＤプリンタ装置１０００の言語設定を使用者ごとに切り換える操作をしなくても済むので、端末操作に不慣れなユーザにとって、また端末管理者にとっても大変使い勝手が良いものとなる。
【００５５】
なお、前述の実施の形態においては、ケーブル５０００を介して、デジタルカメラ３０１２とＰＤプリンタ装置１０００とを接続した例を示したが、前記デジタルカメラ３０１２とＰＤプリンタ装置１０００との接続は、有線による接続でなくともよく、ワイヤレス通信により両者間の通信を確立して、言語設定を行うようにしてもよい。
【００５６】
（本発明の他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５７】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５８】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれる。
【００５９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれる。
【図面の簡単な説明】
【００６０】
【図１】第１の実施の形態に係るＰＤプリンタ装置の概観を説明する斜視図である。
【図２】第１の実施の形態に係るＰＤプリンタ装置の操作パネルの概観を示す図である。
【図３】第１の実施の形態に係るＰＤプリンタ装置の制御に係る主要部の構成を示すブロック図である。
【図４】第１の実施の形態に係るＰＤプリンタ装置のＡＳＩＣの構成を示すブロック図である。
【図５】第１の実施の形態に係るＰＤプリンタ装置とデジタルカメラとを接続して印刷システムを構成した状態を示す図である。
【図６】第１の実施の形態に係るＰＤプリンタ装置のビューワに表示可能な定型文データテーブルの模式図である。
【図７】第１の実施の形態に係るデジタルカメラの操作部の概観の一例を示す図である。
【図８】第１の実施の形態に係る、デジタルカメラが接続されてから言語設定情報を取得するまでの手順の一例を表すフローチャートである。
【図９】第１の実施の形態に係る、デジタルカメラが接続され、日本語設定の場合にプリンタに装着されたビューワに表示される画面の一例を示す概観図である。
【図１０】第１の実施の形態に係る、カメラが接続され、英語設定の場合にプリンタに装着されたビューワに表示される画面の一例を示す概観図である。
【図１１】第２の実施の形態に係る、デジタルカメラが接続されてから言語設定情報を取得するまでの手順の一例を表すフローチャートである。
【符号の説明】
【００６１】
３０００  制御部（制御基板）
３００１  ＡＳＩＣ（専用カスタムＬＳＩ）
３００２  ＤＳＰ（デジタル信号処理プロセッサ）
３００３  メモリ
３００３ａ  プログラムメモリ
３００４  プリンタエンジン
３００５  ＵＳＢバスコネクタ
３００６  コネクタ
３００８  ＵＳＢバスハブ(USB HUB)
３０１０  ＰＣ
３０１１  ＰＣカード
３０１２  デジタルカメラ
【図１】
2006005760.tif 000003
【図２】
2006005760.tif 000004
【図３】
2006005760.tif 000005
【図４】
2006005760.tif 000006
【図５】
2006005760.tif 000007
【図６】
2006005760.tif 000008
【図７】
2006005760.tif 000009
【図８】
2006005760.tif 000010
【図９】
2006005760.tif 000011
【図１０】
2006005760.tif 000012
【図１１】
2006005760.tif 000013